(57)【特許請求の範囲】
【請求項１】
ボックス内に配置された被写体を照明器具で照らし、該ボックス内の前記被写体を撮影用カメラにて撮影するための撮影制御装置であって、
前記ボックス内の前記被写体を撮影する撮影用カメラを前記被写体に向け移動する第１の移動手段と、
前記撮影用カメラの位置に相対して前記被写体を移動する第２の移動手段と、
複数の分類のそれぞれと対応付けて、前記第１の移動手段により前記撮影用カメラを前記被写体に向け移動させる位置を示す第１の位置制御データと、前記第２の移動手段により前記撮影用カメラの位置に相対して前記被写体を移動させる位置を示す第２の制御データとを記憶する記憶手段と、
前記ボックス内に配置された被写体に対する分類を指定する分類指定手段と、
前記分類指定手段による分類の指定に基づいて、その分類と対応して記憶された前記第１の制御データに応じて前記撮影用カメラを移動させると共に、前記指定された分類と対応して記憶された前記第２の制御データに応じて前記被写体を移動させる移動制御手段と、
を具備したことを特徴とする撮影制御装置。
【請求項２】
ボックス内に配置された被写体を照明器具で照らし、撮影フードに取り付けられた撮影用カメラにて該ボックス内の前記被写体を撮影するための撮影制御装置であって、
前記ボックス内の前記被写体を撮影する撮影用カメラを前記被写体に向け移動する第１の移動手段と、
前記被写体の位置に相対して前記撮影用カメラが取り付けられた撮影フードを移動する第２の移動手段と、
複数の分類のそれぞれと対応付けて、前記第１の移動手段により前記撮影用カメラを前記被写体に向け移動させる位置を示す第１の位置制御データと、前記第２の移動手段により前記被写体の位置に相対して前記撮影用カメラが取り付けられた撮影フードを移動させる位置を示す第２の制御データとを記憶する記憶手段と、
前記ボックス内に配置された被写体に対する分類を指定する分類指定手段と、
前記分類指定手段による分類の指定に基づいて、その分類と対応して記憶された前記第１の制御データに応じて前記撮影用カメラを移動させると共に、前記指定された分類と対応して記憶された前記第２の制御データに応じて前記撮影フードを移動させる移動制御手段と、
を具備したことを特徴とする撮影制御装置。
【発明の詳細な説明】
【０００１】
【発明の属する技術分野】
本発明は、多種，多様な商品等の画像を簡単に撮影して管理するための撮影制御装置に関する。
【０００２】
【従来の技術】
例えば多種，多様な商品を管理する商品管理システムでは、個々の商品管理は、該商品を撮影した商品画像に対して、商品コード，商品名，寸法，重量等の商品情報を一覧にした商品管理データとして作成し、記憶，保存することで行なわれる。
【０００３】
このような商品管理データは、管理する当事者により利用されるだけでなく、広告，パンフレット，カタログ等に載せて利用したり、直接、取引先に見せて利用したりするため、商品の画像は、該商品としての魅力が最大限に引き出されるよう上手に撮影する必要がある。
【０００４】
従来、このような商品の画像は、プロのカメラマンにより、あるいは商品撮影の熟練者により撮影し、この撮影した画像データに、商品コード，商品名，寸法，重量等の各種の商品情報を、全て手作業により入力して商品管理データとしてまとめている。
【０００５】
【発明が解決しようとする課題】
しかしながら、取り扱う商品の種類も数も非常に多い商品売買の現場、特に、ディスカウントストアやスーパーマーケット等の大型店においては、このような商品管理データの作成作業をパートタイマー等の熟練者以外の人員により行なう必要が生じるが、この場合、手間と時間がかかるだけでなく、個々の商品の画像をプロカメラマンや熟練者なみに上手に撮影するのは極めて難しい問題がある。
【０００６】
本発明は、前記のような問題に鑑みなされたもので、慣れや熟練を要すること無く、誰でも上手に簡単に、商品等の画像データを撮影することが可能になる撮影制御装置及び撮影制御処理プログラムを記憶した記憶媒体を提供することを目的とする。
【０００７】
【課題を解決するための手段】
請求項１記載の発明は、ボックス内に配置された被写体を照明器具で照らし、該ボックス内の前記被写体を撮影用カメラにて撮影するための撮影制御装置であって、
前記ボックス内の前記被写体を撮影する撮影用カメラを前記被写体に向け移動する第１の移動手段と、
前記撮影用カメラの位置に相対して前記被写体を移動する第２の移動手段と、
複数の分類のそれぞれと対応付けて、前記第１の移動手段により前記撮影用カメラを前記被写体に向け移動させる位置を示す第１の位置制御データと、前記第２の移動手段により前記撮影用カメラの位置に相対して前記被写体を移動させる位置を示す第２の制御データとを記憶する記憶手段と、
前記ボックス内に配置された被写体に対する分類を指定する分類指定手段と、
前記分類指定手段による分類の指定に基づいて、その分類と対応して記憶された前記第１の制御データに応じて前記撮影用カメラを移動させると共に、前記指定された分類と対応して記憶された前記第２の制御データに応じて前記被写体を移動させる移動制御手段とを備えるものである。
従って、この請求項１記載の発明では、被写体に対する分類の指定に基づいて、前記撮影用カメラが当該被写体を捉える位置となるように前記撮影用カメラ及び前記被写体を移動して、前記指定された分類の前記被写体を前記撮影用カメラにて撮影することができる。
【０００８】
請求項２記載の発明は、ボックス内に配置された被写体を照明器具で照らし、撮影フードに取り付けられた撮影用カメラにて該ボックス内の前記被写体を撮影するための撮影制御装置であって、
前記ボックス内の前記被写体を撮影する撮影用カメラを前記被写体に向け移動する第１の移動手段と、
前記被写体の位置に相対して前記撮影用カメラが取り付けられた撮影フードを移動する第２の移動手段と、
複数の分類のそれぞれと対応付けて、前記第１の移動手段により前記撮影用カメラを前記被写体に向け移動させる位置を示す第１の位置制御データと、前記第２の移動手段により前記被写体の位置に相対して前記撮影用カメラが取り付けられた撮影フードを移動させる位置を示す第２の制御データとを記憶する記憶手段と、
前記ボックス内に配置された被写体に対する分類を指定する分類指定手段と、  前記分類指定手段による分類の指定に基づいて、その分類と対応して記憶された前記第１の制御データに応じて前記撮影用カメラを移動させると共に、前記指定された分類と対応して記憶された前記第２の制御データに応じて前記撮影フードを移動させる移動制御手段とを備えるものである。
従って、この請求項２記載の発明では、被写体に対する分類の指定に基づいて、前記撮影用カメラが当該被写体を捉える位置になるように前記撮影用カメラ及び前記撮影フードを移動して、前記指定された分類の前記被写体を前記撮影用カメラにて撮影することができる。
【００１０】
【発明の実施の形態】
以下図面により本発明の実施の形態について説明する。
【００１１】
図１は本発明の実施形態に係わる撮影制御装置の全体の構成を示す図である。
【００１２】
この撮影制御装置は、被写体としての商品等を撮影するための撮影ボックス１１と、この撮影ボックス１１内に配置された商品を撮影して商品画像を得るデジタルカメラ１２と、撮影ボックス１１及びデジタルカメラ１２における各部の動作を制御し、且つ、該撮影ボックス１１及びデジタルカメラ１２から得られる各種のデータを処理するためのパーソナルコンピュータ（ＰＣ）１３とを備えて構成される。
【００１３】
撮影ボックス１１は、長方形をしたボックス本体１４と、このボックス本体１４の前面側に取り付けられた撮影フード１５と、この撮影フード１５の先端に取り付けられたカメラ台座１６とを組み合わせて構成される。
【００１４】
図２は前記撮影制御装置の撮影ボックス１１における各可動機構を示す図であり、同図（Ａ）は撮影ボックス１１を縦の断面にして示す図、同図（Ｂ）はカメラ台座１６を背面から見て示す図である。
【００１５】
前記撮影ボックス１１に組み合わされる撮影フード１５は、ボックス本体１４の側面に設けられたフード駆動機構１７により、フード軸１８を中心にして矢印ａ1 ，ａ2 で示す上下方向に回動可能に取り付けられ、また、カメラ台座１６は、撮影フード１５の先端に設けられたカメラ台座駆動機構１９に対し、台座軸２０を中心にして矢印ｂ1 ，ｂ2 で示す上下方向に回動可能に取り付けられる。
【００１６】
また、ボックス本体１４の水平天面１４ａには、該ボックス本体１４の内部を均一に照明するための照明ユニット２１がヒンジ２１ａを中心にして矢印ｃで示す方向に開閉可能に取り付けられ、この照明ユニット２１のボックス内側面には、照明電球２２ａ，２２ｂが備えられる。
【００１７】
また、ボックス本体１４の傾斜天面１４ｂには、デジタルカメラ１２からの撮影経路を光学的に反射させて撮影対象商品Ｊの上面撮影を行なうための反射ユニット２３がヒンジ２３ａを中心にして矢印ｄで示す方向に開閉可能に取り付けられ、この反射ユニット２３のボックス内側面には、反射鏡２４が備えられる。
【００１８】
そして、ボックス本体１４の後方における前記反射ユニット２３の下方の位置には、撮影対象商品Ｊを配置するための商品台座２５が設けられる。
【００１９】
この商品台座２５は、商品台座駆動モータ２６による矢印ｅ1 ，ｅ2 で示す方向の回転駆動に伴ない、ステージ２５ａをパンタグラフ式に矢印ｆ1 で示す方向に上昇又は矢印ｆ2 で示す方向に下降させるもので、この商品台座２５のステージ２５ａにおける後端には、Ｌ字状に立ち上げられる背面フレーム２７が設けられる。
【００２０】
この背面フレーム２７は、前記商品台座２５におけるステージ２５ａの上下降に伴ない、その先端がボックス本体１４の最後部における天面開口１４ｃより出入りするもので、この背面フレーム２７の先端には、背景紙２８を当該背景フレーム２７からステージ１５ａ上に沿わせて垂れ下げて配置するための背景紙クリップ２９ａ，２９ｂが設けられる。
【００２１】
さらに、ボックス本体１４の後端面１４ｄの上部にも、前記商品台座２５を利用しないで撮影対象商品Ｊをボックス本体１４の底面上に直置きして撮影する際に、前記背景紙２８を垂れ下げて配置するための背景紙クリップ３０が設けられる。
【００２２】
そして、前記ボックス本体１４の右側面１４ｅにおける前記商品台座２５に対応する場所には、撮影対象商品Ｊの配置，取り出し操作等を行なうための操作扉３１が開閉可能に設けられる。
【００２３】
一方、前記カメラ台座１６には、左右の何れか一端が半固定され、その他端側が下方から当接される調整ねじ３２により左右方向の水平状態が設定される配置台３２が設けられ、この配置台３３の上面には、撮影方向に直交する方向で水平、つまり、前記台座軸２０に水平な支持軸を受けるための軸受け台３４が設けられる。
【００２４】
また、デジタルカメラ１２の横置き状態における下側面と右側面（縦置き状態での下側面）には、前記撮影方向に直交する方向でそれぞれの面に平行なカメラ支持軸３５ａ，３５ｂが設けられ、前記配置台３３の軸受け台３４に対し、デジタルカメラ１２を横置きしている場合には支持軸３５ａが軸受けされ、また、デジタルカメラ１２を縦置きしている場合には支持軸３５ｂが軸受けされる。
【００２５】
このカメラ台座１６の配置台３３に対するデジタルカメラ１２の軸受け機構には、当該デジタルカメラ１２の横置き状態と縦置き状態とを検出するためのマイクロスイッチ等からなるカメラ向き検出スイッチ３４ａが設けられる。
【００２６】
そして、撮影ボックス１１におけるフード駆動機構１７による撮影フード１５の回動制御系、カメラ台座駆動機構１９によるカメラ台座１６の回動制御系、商品台座駆動モータ２６による商品台座２５の昇降制御系、照明ユニット２１による点灯，消灯，照度等の制御系は、パーソナルコンピュータ（ＰＣ）１３の本体装置３６に対し、撮影側データ・制御バス３７を介して接続され、また、デジタルカメラ１２におけるズーム，フォーカス，アイリス（絞り）の制御系は、カメラ側データ・制御バス３８を介して同パーソナルコンピュータ（ＰＣ）１３の本体装置３６に接続される。なお、前記撮影ボックス１１の右側面におけるフード駆動機構１７の下には、インターフェイスユニット３９が設けられ、このインターフェイスユニット３９内に、撮影ボックス１１における各駆動機構等とパーソナルコンピュータ（ＰＣ）１３との入出力制御を図るための撮影側インターフェイス回路（ＩＦ）４０、及びデジタルカメラ１２における制御部とパーソナルコンピュータ（ＰＣ）１３との入出力制御を図るためのカメラ側インターフェイス回路（ＩＦ）４１が備えられる。
【００２７】
一方、パーソナルコンピュータ（ＰＣ）１３は、外観上、ＰＣ本体３６、キーボードからなる入力装置４２、バーコードを読み取るハンドスキャナ４３、ＣＲＴからなる表示装置４４、プリンタからなる印刷装置４５の組み合わせにより構成されるもので、前記撮影ボックス１１及びデジタルカメラ１２とその周辺における制御系は、全てこのパーソナルコンピュータ（ＰＣ）１３からの指令により前記インターフェイスユニット３９を介して制御され、また、前記撮影ボックス１１及びデジタルカメラ１２とその周辺における制御系にて得られた各種のデータは、全て前記インターフェイスユニット３９を介しこのパーソナルコンピュータ（ＰＣ）１３に転送されて取り込まれる。
【００２８】
さらに、前記撮影ボックス１１の右側面に設けられたフード駆動機構１７の上部には、撮影ボックス１１側における各種の駆動制御機構を全停止させるための停止スイッチ１１Ｓが備えられる。
【００２９】
図３は前記撮影制御装置の撮影ボックス１１における異なる商品Ｊの各撮影状態を比較して示す側断面図であり、同図（Ａ）は小型商品Ｊ1 の前面撮影状態を示す図、同図（Ｂ）は商品Ｊ2 の上面撮影状態を示す図、同図（Ｃ）は大型商品Ｊ3 の俯瞰撮影状態を示す図である。
【００３０】
図３（Ａ）に示すように、小型商品Ｊ1 の前面撮影を行なう場合には、当該小型商品Ｊ1 が載せられた商品台座２５のステージ２５ａが商品台座駆動モータ２６の駆動により矢印ｆ1 で示す方向に上昇移動されると共に、撮影フード１５がフード駆動機構１７に内蔵されたフード駆動モータ１７ａの駆動により矢印ａ2 で示す方向に下降され、商品Ｊ1 の正面にデジタルカメラ１２が位置するよう自動調整される。そして、デジタルカメラ１２のカメラ台座１６がカメラ台座駆動機構１９に内蔵されたカメラ台座駆動モータ１９ａの駆動により矢印ｂ1 で示す方向に回動され、当該デジタルカメラ１２の焦点経路ｘが水平にされて小型商品Ｊ1 の前面に向けて設定され、商品Ｊ1 の前面画像が撮影される。
【００３１】
図３（Ｂ）に示すように、通常サイズの商品Ｊ2 の上面撮影を行なう場合には、当該商品Ｊ2 が載せられた商品台座２５のステージ２５ａが商品台座駆動モータ２６の駆動により基準位置に移動されると共に、撮影フード１５がフード駆動機構１７に内蔵されたフード駆動モータ１７ａの駆動により基準位置に移動され、商品Ｊ2 の正面にデジタルカメラ１２が位置するよう自動調整される。そして、デジタルカメラ１２のカメラ台座１６がカメラ台座駆動機構１９に内蔵されたカメラ台座駆動モータ１９ａの駆動により矢印ｂ2 で示す方向に回動され、当該デジタルカメラ１２の焦点経路ｙが反射ユニット２３へ向けて上方傾斜されると共に、反射鏡２４に反射されて商品Ｊ2 の上面に向けて設定され、商品Ｊ2 の上面画像が撮影される。
【００３２】
図３（Ｃ）に示すように、大型商品Ｊ3 の俯瞰撮影を行なう場合には、当該大型商品Ｊ3 が載せられた商品台座２５のステージ２５ａが商品台座駆動モータ２６の駆動により矢印ｆ2 で示す方向に下降移動されると共に、撮影フード１５がフード駆動機構１７に内蔵されたフード駆動モータ１７ａの駆動により矢印ａ1 で示す方向に上昇され、商品Ｊ3 よりも上方にデジタルカメラ１２が位置するよう自動調整される。そして、デジタルカメラ１２のカメラ台座１６がカメラ台座駆動機構１９に内蔵されたカメラ台座駆動モータ１９ａの駆動により矢印ｂ2 で示す方向に回動され、当該デジタルカメラ１２の焦点経路ｚが下方傾斜されて商品Ｊ3 の片の方向に設定され、商品Ｊ3 の俯瞰画像が撮影される。
【００３３】
図４は前記撮影制御装置のパーソナルコンピュータ（ＰＣ）１３を中心とする電子回路の構成を示すブロック図である。
【００３４】
パーソナルコンピュータ（ＰＣ）１３は、コンピュータ等からなる制御部（ＣＰＵ）４６を備えている。
【００３５】
制御部（ＣＰＵ）４６は、キーボードからなる入力装置４２やハンドスキャナ４３及び撮影側，カメラ側の各データ・制御バス３７，３８を介して入力される各種の入力データに応じて、記憶装置４７内のＲＯＭに予め記憶されているシステムプログラムを起動させ、あるいは外部記録媒体（記憶媒体）４８に予め記憶されている撮影制御処理プログラムや通信回線４９を介して受信される各種制御用プログラムを記憶装置４７内のＲＡＭに読み込んで起動させ、ＲＡＭ５０をワークメモリとして回路各部の動作制御を行なうものである。
【００３６】
この制御部（ＣＰＵ）４６には、前記入力装置４２、ハンドスキャナ４３、記憶装置４７、通信回線４９、ＲＡＭ５０の他、表示装置４４、印刷装置４５、そして、撮影ボックス１１及びデジタルカメラ１２の各制御系とアクセスを図るための撮影側インターフェイス回路４０及びカメラ側インターフェイス回路４１が接続される。
【００３７】
撮影ボックス１１のインターフェイス回路４０には、撮影フード１５を回動させてそのフード角度βを変化させるためのフード駆動機構１７に内蔵されるフード駆動モータ１７ａ、商品台座２５のステージ２５ａを昇降させてその高さＨを変化させるための商品台座駆動モータ２６、カメラ台座１６を回動させてその台座角度αを変化させるためのカメラ台座駆動機構１９に内蔵されたカメラ台座駆動モータ１９ａ、そして、照明ユニット２１、カメラ向き検出スイッチ３４ａ、停止スイッチ１１Ｓが接続される。
【００３８】
この場合、前記撮影フード角度β，商品台座高さＨ，カメラ台座角度α，撮影照度Ｌは、全てパーソナルコンピュータ（ＰＣ）１３に対しフィードバック制御される。
【００３９】
デジタルカメラ１２のインターフェイス回路４１には、ＣＰＵからなるカメラ制御部５１を介して画像メモリ５２が接続されると共に、ズームＺを変化させるためのズーム調整モータ５３、フォーカスＦを変化させるためのフォーカス調整モータ５４、絞りＳを変化させるための絞り調整モータ５５が接続される。
【００４０】
この場合、前記ズームＺ，フォーカスＦ，絞りＳは、全てパーソナルコンピュータ（ＰＣ）１３に対しフィードバック制御される。
【００４１】
入力装置４２のキーボードには、例えば汎用されるパーソナルコンピュータと同種のキーボードが使用されるもので、テンキーや文字キー，実行キー，カーソルキー、各種ファンクションキー等が備えられる。
【００４２】
記憶装置４７は、半導体メモリからなるＲＯＭを備えると共に、フロッピディスクドライバ等の外部記録媒体（記憶媒体）４８の読み込み装置、ハードディスク装置等のＲＡＭを備えている。
【００４３】
図５は前記パーソナルコンピュータ（ＰＣ）１３の記憶装置４７におけるＲＯＭ及びＲＡＭに備えられるデータメモリを示す図である。
【００４４】
例えば前記記憶装置４７内のＲＯＭには、プログラムメモリ４７ａが備えられ、このプログラムメモリ４７ａには、本撮影制御装置における全体の処理を司るシステムプログラムデータが予め記憶されると共に、図１０及び図１１に示す商品撮影処理、図１２に示すモニタ表示処理、図１３に示す撮影画像保存処理等、各種の動作モードの処理を司るサブプログラムデータである制御プログラムデータも予め記憶される。
【００４５】
また、記憶装置４７内のＲＡＭには、撮影条件テーブルメモリ４７ｂ（図６参照）、概略位置合わせテーブルメモリ４７ｃ（図７参照）、撮影画像データメモリ４７ｄ（図８参照）、サムネイル画像データメモリ４７ｅ（図９参照）等が備えられる。
【００４６】
図６は前記パーソナルコンピュータ（ＰＣ）１３の記憶装置４７内のＲＡＭに備えられる撮影条件テーブルメモリ４７ｂのデータ内容を示す図である。
【００４７】
この撮影条件テーブルメモリ４７ｂは、様々な商品の品目を個々の撮影条件名（箱菓子／缶詰／…）とし、この各撮影条件名毎に３つの撮影方向（前面／上面／俯瞰）それぞれの撮影を行なう場合の基準となるカメラ制御値（ズームＺ，フォーカスＦ，絞りＳ）、カメラ台座角度α、商品台座高さＨ、撮影フード角度β、撮影照度Ｌが予めプロカメラマンや熟練者による実際の撮影に応じて設定記憶されるもので、商品撮影を自動で行なうモードにあって、撮影対象商品に相当する撮影条件名とその撮影方向が指定されることにより、これに対応するカメラ制御値（ズームＺ，フォーカスＦ，絞りＳ）、カメラ台座角度α、商品台座高さＨ、撮影フード角度β、撮影照度Ｌが撮影条件として読み出され、デジタルカメラ１２におけるズーム，フォーカス，絞り、及び撮影ボックス１１におけるカメラ台座１６の回動角度α、商品台座２５の高さＨ、撮影フード１５の回動角度β、照明ユニット２１による照度Ｌが最適な状態に自動調整される。
【００４８】
図７は前記パーソナルコンピュータ（ＰＣ）１３の記憶装置４７内のＲＡＭに備えられる概略位置合わせテーブルメモリ４７ｃのデータ内容を示す図である。
【００４９】
この概略位置合わせテーブルメモリ４７ｂは、被写体のサイズを大，中，小の３つの区分とし、この各被写体サイズ毎に３つの撮影方向（前面／上面／俯瞰）それぞれの撮影を行なう場合の基準となるカメラ制御値（ズームＺ，フォーカスＦ，絞りＳ）、カメラ台座角度α、商品台座高さＨ、撮影フード角度β、撮影照度Ｌが予め予めプロカメラマンや熟練者による実際の撮影に応じて設定記憶されるもので、商品撮影を手動で行なうモードにあって、撮影対象商品のサイズとその撮影方向が指定されることにより、これに対応するカメラ制御値（ズームＺ，フォーカスＦ，絞りＳ）、カメラ台座角度α、商品台座高さＨ、撮影フード角度β、撮影照度Ｌが撮影条件として読み出され、デジタルカメラ１２におけるズームＺ，フォーカスＦ，絞りＳ、及び撮影ボックス１１におけるカメラ台座１６の回動角度α、商品台座２５の高さＨ、撮影フード１５の回動角度β、照明ユニット２１による照度Ｌが概略的に自動調整される。
【００５０】
ここで、前記撮影条件テーブルメモリ４７ｂや前記概略位置合わせテーブルメモリ４７ｃにて予め記憶されるデジタルカメラ１２や撮影ボックス１１に対する各撮影条件値は、プロのカメラマンあるいは商品撮影の熟練者により実際に各商品の撮影を行なった際に得られた前面撮影時、上面撮影時、俯瞰撮影時それぞれにおけるデジタルカメラ１２のズーム調整モータ５３，フォーカス調整モータ５４，絞り調整モータ５５の各回転位置（Ｚ，Ｆ，Ｓ）、カメラ台座駆動モータ１９ａによるカメラ台座１６の設定角度（α）、商品台座駆動モータ２６による商品台座２５の設定高さ（Ｈ）、フード駆動モータ１７ａによる撮影フード１５の設定角度（β）、照明ユニット２１による照明電球２２ａ，２２ｂの設定照度（Ｌ）が記憶される。
【００５１】
図８は前記パーソナルコンピュータ（ＰＣ）１３の記憶装置４７内のＲＡＭに備えられる撮影画像データメモリ４７ｄのデータ内容を示す図である。
【００５２】
この撮影画像データメモリ４７ｄは、商品撮影後の画像データがそれぞれそのファイル名称，撮影条件値，商品データ，縦／横フラグに対応付けられて記憶されるもので、前記ファイル名称は、当該商品撮影の日時に基づき生成されたコードデータ及び任意入力された補助名称からなり、また、前記撮影条件値は、当該商品撮影時におけるカメラ制御値（ズームＺ，フォーカスＦ，絞りＳ）、カメラ台座角度α、商品台座高さＨ、撮影フード角度β、撮影照度Ｌからなり、また、前記商品データは、任意入力される商品名，サイズ，重量等の商品情報からなり、また、前記縦／横フラグは、前記デジタルカメラ１２の配置台３３に対する軸受け機構に備えられたカメラ向き検出スイッチ３４ａによる検出結果に応じて横置き検出状態では“０”に、縦置き検出状態では“１”に設定される。
【００５３】
図９は前記パーソナルコンピュータ（ＰＣ）１３の記憶装置４７内のＲＡＭに備えられるサムネイル画像データメモリ４７ｅのデータ内容を示す図である。
【００５４】
このサムネイル画像データメモリ４７ｅは、前記撮影画像データメモリ４７ｄに撮影されて記憶される各商品の画像データが、縮小された撮影画像データの一覧として記憶されるもので、このサムネイル画像データメモリ４７ｅに記憶される各縮小された撮影画像データには、そのそれぞれに対し撮影日時，ファイル名称，撮影解像度が対応付けされて記憶される。
【００５５】
次に、前記構成による撮影制御装置の動作について説明する。
【００５６】
図１０は前記撮影制御装置における商品撮影処理（その１）を示すフローチャートである。
【００５７】
図１１は前記撮影制御装置における商品撮影処理（その２）を示すフローチャートである。
【００５８】
図１２は前記撮影制御装置における商品撮影処理に伴なうモニタ表示処理を示すフローチャートである。
【００５９】
図１３は前記撮影制御装置における商品撮影処理に伴なう撮影画像保存処理を示すフローチャートである。
【００６０】
図１４は前記撮影制御装置における商品撮影処理に伴ない初期表示される撮影モジュールウインドウＧ１の表示状態を示す図である。
【００６１】
まず、パーソナルコンピュータ（ＰＣ）１３の表示装置４４に表示されている商品撮影アイコンが、入力装置４２の操作により選択されることで、記憶装置４７のＲＯＭにおけるプログラムメモリ４７ａに記憶されている撮影処理プログラムが起動されると、図１４に示すように、表示装置４４に対して撮影モジュールウインドウＧ１が表示されると共に、記憶装置４７のＲＡＭにおけるサムネイル画像データメモリ４７ｅ（図９参照）に記憶されている過去の商品撮影画像のうちの直前に撮影保存された９枚分の商品画像データが読み込まれ、撮影モジュールウインドウＧ１の下端に沿って確保されたサムネイル・ウインドウＧ１ａに対し各画像毎の撮影年月日とファイル名及び撮影解像度が付されて縮小一覧表示される（ステップＳ１，Ｓ２，Ｓ３）。
【００６２】
前記撮影モジュールウインドウＧ１におけるコマンドバーＧ１ｂには、例えばシャッタ操作を行なうための撮影ボタンＱ１、自動による撮影，保存を指示するための自動保存撮影ボタンＱ２、デジタルカメラ１２による取り込み画像のモニタ表示を指示するためのモニタモードボタンＱ３、撮影画像の保存を指示するための自動保存ボタンＱ４、画像の編集を行なう際に必要に応じて選択操作される縮小ボタンＱ５、拡大ボタンＱ６、切抜きボタンＱ７、撮影ボックス１１とデジタルカメラ１２における各種の制御系をマニュアルで調整する際に操作される詳細調整ボタンＱ８等が用意されると共に、自動制御による撮影モードを設定するための自動ボタンＱ９、マニュアル制御による撮影モードを設定するための手動ボタンＱ１０が用意される。
【００６３】
撮影ボックス１１の操作扉３１を開き、商品台座２５のステージ２５ａ上に撮影対象となる商品Ｊを載せた状態で、前記撮影モジュールウインドウＧ１のコマンドバーＧ１ｂにおけるモニタモードボタンＱ３が操作されると、パーソナルコンピュータ（ＰＣ）１３からカメラ側データ・制御バス３８及びカメラ側インターフェイス回路（ＩＦ）４１を介して、デジタルカメラ１２のカメラ制御部５１に対してモニタ要求信号が送信され、図１２におけるモニタ表示処理に移行される（ステップＳ４→Ｓ５，ＳＡ１）。
【００６４】
図１５は前記撮影制御装置における商品撮影処理に伴ない表示される横置きモニタウインドウＧ２ｈと自動撮影制御ウインドウＧ３の撮影調整前表示状態を示す図である。
【００６５】
モニタ表示処理が起動されると、デジタルカメラ１２により現在撮像されて画像メモリ５２に対しリアルタイムに取り込まれている商品台座２５の周辺の画像データが、カメラ制御部５１からパーソナルコンピュータ１３に転送されて制御部（ＣＰＵ）４６にて受信され、ＲＡＭ５０内のモニタ画像メモリに書き込まれる（ステップＡ１）。
【００６６】
すると、デジタルカメラ１２の配置台３３に対する軸受け機構に設けられたカメラ向き検出スイッチ３４ａから当該カメラ１２が縦置き状態にあることを検出する縦置き検出信号“１”が出力されているか否かがパーソナルコンピュータ１３の制御部（ＣＰＵ）４６において判断され、縦置き検出信号“１”が出力されてない、つまり、前記デジタルカメラ１２は横置きによる撮影状態にあると判断されると、図１５に示すように、表示装置４４に表示されている撮影モジュールウインドウＧ１上に、横置きモニタウインドウＧ２ｈが表示され、当該横置きモニタウインドウＧ２ｈに対し、前記ＲＡＭ５０内のモニタ画像メモリに書き込まれている前記デジタルカメラ１２によるモニタ画像が読み出されて表示される（ステップＡ２→Ａ３）。
【００６７】
そしてさらに、前記モニタ画像が表示された横置きモニタウインドウＧ２ｈには、重ねてグリッドパターンが表示される（ステップＡ４）。
【００６８】
この場合、撮影ボックス１１におけるフード駆動モータ１７ａ、商品台座駆動モータ２６、カメラ台座駆動モータ１９ａ、照明ユニット２１等の各ボックス制御系は未調整の状態であり、また、デジタルカメラ１２におけるズーム調整モータ５３、フォーカス調整モータ５４、絞り調整モータ５５等の各カメラ制御系も未調整の状態であるため、商品台座２５に載せられた撮影対象商品Ｊに対するデジタルカメラ１２の撮影方向や焦点は調整されてなく、前記横置きモニタウインドウＧ２ｈには撮影調整前現状のモニタ画像が表示される。
【００６９】
なお、前記ステップＡ２において、カメラ向き検出スイッチ３４ａから当該カメラ１２が縦置き状態にあることを検出する縦置き検出信号“１”が出力されている、つまり、デジタルカメラ１２は縦置きによる撮影状態にあると判断された場合には、ＲＡＭ５０内のワークメモリにおいて縦置きフラグ“１”が記憶されると共に、表示装置４４に表示されている撮影モジュールウインドウＧ１上に、縦置きモニタウインドウＧ２ｖ（図示せず）が表示され、当該縦置きモニタウインドウＧ２ｖに対し、前記デジタルカメラ１２によるモニタ画像が表示される（ステップＡ２→Ａ５，Ａ６）。そしてさらに、重ねてグリッドパターンが表示される（ステップＡ４）。
【００７０】
こうして、前記図１５で示したように、デジタルカメラ１２による商品台座２５の周辺のモニタ画像が、横置きモニタウインドウＧ２ｈに表示された状態で（ステップＳＡ１）、自動制御による撮影モードを設定するために、コマンドバーＧ１ｂに表示されている自動ボタンＱ９が操作されると、前記横置きモニタウインドウＧ２ｈに並べて自動撮影制御ウインドウＧ３が表示される（ステップＳ６→Ｓ７）。
【００７１】
この自動撮影制御ウインドウＧ３には、撮影条件名の入力エリアＧ３ａ、商品サイズの入力エリアＧ３ｂ、撮影方向の入力エリアＧ３ｃが設けられると共に、撮影ボックス１１及びデジタルカメラ１２における各制御系調整動作の開始を指示する移動ボタンＱ１１、各種制御系をマニュアルで微調整する際に操作される詳細ボタンＱ１２、及び撮影の終了を指示する終了ボタンＱ１３が設けられる。
【００７２】
前記横置きモニタウインドウＧ２ｈに並べて自動撮影制御ウインドウＧ３が表示されると、記憶装置４７におけるＲＡＭ内の撮影条件テーブルメモリ４７ｂ（図６参照）に記憶されている各種商品の品目に対応させた撮影条件名が全て読み込まれ、今回撮影を行なう商品Ｊを特定するための撮影条件名の候補として、前記自動撮影制御ウインドウＧ３上の撮影条件名入力エリアＧ３ａに対応させてリスト表示される（ステップＳ８，Ｓ９）。
【００７３】
図１６は前記撮影制御装置における商品撮影処理に伴ない表示される横置きモニタウインドウＧ２ｈと自動撮影制御ウインドウＧ３の撮影調整後表示状態を示す図である。
【００７４】
前記自動撮影制御ウインドウＧ３上にリスト表示された撮影条件名の候補の中から、今回撮影を行なう商品Ｊを特定するための撮影条件名として、例えば「箱菓子」が選択され、図１６に示すように、撮影条件名入力エリアＧ３ａに入力表示されると共に、撮影方向として、例えば「前面」が選択され、撮影方向入力エリアＧ３ｃに入力表示された後、移動ボタンＱ１１が操作されると、前記自動撮影制御ウインドウＧ３上で選択入力された撮影条件名「箱菓子」及び撮影方向「前面」に対応させた、撮影ボックス１１及びデジタルカメラ１２の各制御系に対する各撮影条件値が、前記撮影条件テーブルメモリ４７ｂ（図６参照）から、ズームＺ１，フォーカスＦ１，絞りＳ１，カメラ台座角度α１，商品台座高さＨ１，撮影フード角度β１，撮影照度Ｌ１として読み込まれる（ステップＳ１０，Ｓ１１，Ｓ１２→Ｓ１３）。
【００７５】
すると、このそれぞれの撮影条件値Ｚ１，Ｆ１，Ｓ１，α１，Ｈ１，β１，Ｌ１に従って、パーソナルコンピュータ（ＰＣ）１３からデジタルカメラ１２及び撮影ボックス１１に対して制御信号が送信され、デジタルカメラ１２のズーム調整モータ５３，フォーカス調整モータ５４，絞り調整モータ５５が駆動されて、それぞれズームＺ１，フォーカスＦ１，絞りＳ１に調整され、撮影ボックス１１のカメラ台座駆動モータ１９ａ，商品台座駆動モータ２６，フード駆動モータ１７ａが駆動されて、それぞれカメラ台座１６の角度α１，商品台座２５の高さＨ１，撮影フード１５の角度β１，照明ユニット２１による撮影照度Ｌ１に調整される（ステップＳ１４）。
【００７６】
これにより、商品台座２５に載せられた撮影対象商品Ｊに対するデジタルカメラ１２の撮影方向や焦点は、前記撮影条件テーブルメモリ４７ｂに予めプロカメラマンや熟練者による実際の撮影操作に応じて設定記憶された「箱菓子」の「前面」撮影用の各撮影条件値に従って、例えば図３（Ａ）で示すようにして自動調整され、図１２におけるモニタ表示処理を経て、前記横置きモニタウインドウＧ２ｈには商品（箱菓子）Ｊの前面画像が見栄え良く撮像された撮影調整後のモニタ画像が表示される（ステップＳＡ２［Ａ１，Ａ２→Ａ３，Ａ４］）。
【００７７】
このように、撮影ボックス１１内の商品台座２５に載せた商品（箱菓子）Ｊの前面画像が見栄え良く撮像された撮影調整後のモニタ画像として、表示装置４４における横置きモニタウインドウＧ２ｈに表示された状態で、コマンドバーＧ１ｂに用意されている自動保存撮影ボタンＱ２又は撮影ボタンＱ１が操作されると、パーソナルコンピュータ（ＰＣ）１３からデジタルカメラ１２のカメラ制御部５１に対してシャッタ動作の指令信号が送信される（ステップＳ１８［Ｓ１９］→Ｓ２０）。
【００７８】
すると、前記デジタルカメラ１２に対するシャッタ動作の指令のタイミングでその画像メモリ５２に撮像されて取り込まれた商品（箱菓子）Ｊの前面の撮影画像データが、パーソナルコンピュータ（ＰＣ）１３に転送されて受信され、この撮影画像データが、図１７に示すように、前記横置きモニタウインドウＧ２ｈにさらに重ねた画像ウインドウＧ４に表示される（ステップＳ２１，Ｓ２２，Ｓ２３）。
【００７９】
図１７は前記撮影制御装置における商品撮影処理に伴ない表示される横置きモニタウインドウＧ２ｈ及び画像ウインドウＧ４と自動撮影制御ウインドウＧ３の同時表示状態を示す図である。
【００８０】
ここで、前記ステップＳ１８において、コマンドバーＧ１ｂに用意された自動保存撮影ボタンＱ２が操作された自動モードにあると判断されると、図１３における撮影画像保存処理に移行される（ステップＳ２４→ＳＢ）。
【００８１】
この撮影画像保存処理が起動されると、ＲＡＭ５０内のワークメモリにおける計時レジスタにて管理される現在の日付，時刻データに基づき、予め定められたアルゴリズムに従ったファイル名称が生成される（ステップＢ１）。
【００８２】
そして、サムネイル・ウインドウＧ１ａの上端に沿って設けられている自動保存時の補助名称入力エリアＧ１ｃにおいて、撮影された商品Ｊの画像データに対する補助名称が入力されて有るか否か判断される（ステップＢ２）。
【００８３】
ここで、前記自動保存時の補助名称入力エリアＧ１ｃにおいて、撮影画像データに対する補助名称が入力されて無いと判断された場合には、前記ステップＢ１にて撮影の日付，時刻に基づき生成されたファイル名称がそのままファイル名称として設定される（ステップＢ２→Ｂ３）。
【００８４】
また、前記自動保存時の補助名称入力エリアＧ１ｃにおいて、撮影画像データに対する補助名称が入力されて有ると判断された場合には、前記ステップＢ１にて撮影の日付，時刻に基づき生成されたファイル名称と前記補助名称入力エリアＧ１ｃにて入力された補助名称とが合わせてファイル名称として設定される（ステップＢ２→Ｂ４）。
【００８５】
すなわち、前記「箱菓子」の「前面」の撮影画像データに対し、例えばその撮影日時に基づき生成されたファイル名称は［ＥＵ８ＢＯ６７］となり、補助名称入力エリアＧ１ｃにて補助名称［箱菓子Ａ・０００１］が入力されて有る場合には、当該撮影画像データのファイル名称は［ＥＵ８ＢＯ６７・箱菓子Ａ・０００１］として設定される。
【００８６】
そして、前記自動撮影制御ウインドウＧ３に重ねて商品データ入力ウインドウが表示され、この商品データ入力ウインドウにおいて、前記撮影された商品Ｊに関する品名，サイズ，重量等の商品情報が入力されると、前記ステップＢ１〜Ｂ４において生成・設定されたファイル名称［ＥＵ８ＢＯ６７・箱菓子Ａ・０００１］に対して、前記ステップＳ２１〜Ｓ２３において画像ウインドウＧ４に撮影表示された商品（箱菓子）Ｊの前面の撮影画像データ、前記撮影ボックス１１及びデジタルカメラ１２における各制御系の撮影条件値（Ｚ１，Ｆ１，Ｓ１，α１，…）、前記入力された商品データ（品名，サイズ，重量，…）、及びステップＳＡ２におけるモニタ表示処理に伴ない検出記憶されたデジタルカメラ１２の撮影方向を示す縦／横フラグ“０”が、それぞれ対応付けられて、記憶装置４７のＲＡＭ内の撮影画像データメモリ４７ｄ（図８参照）へ記憶されて保存される（ステップＢ５，Ｂ６，Ｂ７）。
【００８７】
こうして、前記ステップＳＢにおける撮影画像保存処理に応じて、前記撮影条件名「箱菓子」及び撮影方向「前面」が選択されて撮影された商品（箱菓子）Ｊの前面の撮影画像データが、前記撮影画像データメモリ４７ｄに対し、ファイル名称［ＥＵ８ＢＯ６７・箱菓子Ａ・０００１］、撮影条件値（Ｚ１，Ｆ１，Ｓ１，α１，…）、商品データ（品名，サイズ，重量，…）、縦／横フラグ“０”と共に記憶されて保存されると、図１８に示すように、当該撮影画像データが、撮影日、ファイル名、撮影解像度を付加して、サムネイル・ウインドウＧ１ａに対し追加されて表示される（ステップＳ２５）。
【００８８】
図１８は前記撮影制御装置における商品撮影処理に伴ない表示されるサムネイル・ウインドウＧ１ａに対する前面撮影画像データの追加表示状態を示す図である。
【００８９】
一方、前記ステップＳ１４を経て撮影ボックス１１及びデジタルカメラ１２の各制御系が、選択された撮影条件名及び撮影方向に対応する各撮影条件値に従って自動調整された後の、ステップＳＡ２における商品Ｊのモニタ表示状態（図１６参照）、又は、さらにこの後、ステップＳ１９における撮影ボタンＱ１の操作判断に応じて、ステップＳ２０〜Ｓ２３を経て画像ウインドウＧ４に撮影画像データが表示された後の、ステップＳＡ２におけるモニタ表示状態（図１７参照）にあって、コマンドバーＧ１ｂに用意されている詳細調整ボタンＱ８が操作されると、自動撮影制御ウインドウＧ３に換えて制御パラメータ調整ウインドウＧ５（図２２参照）が表示される（ステップＳ１６→Ｓ２６）。
【００９０】
この制御パラメータ調整ウインドウＧ５には、撮影条件名の入力エリアＧ５ａ、商品サイズの入力エリアＧ５ｂ、撮影方向の入力エリアＧ５ｃが設けられる他、デジタルカメラ１２に対するズーム，フォーカス，絞り（アイリス）及び撮影ボックス１１に対する商品台座高さ（テーブル），撮影フード角度（フード），カメラ台座角度（ホルダー）からなる各制御パラメータの入力エリアＧ５ｄ、現在制御位置の表示エリアＧ５ｅ、目標制御位置の表示エリアＧ５ｆ、モニタ画像に制御パラメータの設定値をリアルタイムに反映させながら各パラメータの値を入力設定する値入力エリアＧ５ｇが設けられ、さらに、撮影ボックス１１及びデジタルカメラ１２における各制御系調整動作の開始を指示する移動ボタンＱ１１、制御パラメータの設定を簡略に行なうための簡略ボタンＱ１４、撮影の終了を指示する終了ボタンＱ１３が設けられる他、簡略ボタンＱ１４の操作に伴ない機能可能となり商品サイズ（大・中・小）に応じた制御パラメータを概略位置合わせテーブル４７ｃ（図７参照）に基づいて自動設定するための大ボタンＱ１４ａ，中ボタンＱ１４ｂ，小ボタンＱ１４ｃが設けられる。
【００９１】
そして、前記制御パラメータ調整ウインドウＧ５において、例えばその制御パラメータ入力エリアＧ５ｄにて、デジタルカメラ１２に対するズームＺ，フォーカスＦ，絞り（アイリス）Ｓ及び撮影ボックス１１に対する商品台座高さ（テーブル）Ｈ，撮影フード角度（フード）β，カメラ台座角度（ホルダー）αの各制御パラメータが微調整されて変更入力されると、このそれぞれの微調整後の制御パラメータ（撮影条件値）Ｚ，Ｆ，Ｓ，α，Ｈ，β，Ｌに従って、パーソナルコンピュータ（ＰＣ）１３からデジタルカメラ１２及び撮影ボックス１１に対して制御信号が送信され、デジタルカメラ１２のズーム調整モータ５３，フォーカス調整モータ５４，絞り調整モータ５５が駆動されて、それぞれズームＺ，フォーカスＦ，絞りＳに調整され、撮影ボックス１１のカメラ台座駆動モータ１９ａ，商品台座駆動モータ２６，フード駆動モータ１７ａが駆動されて、それぞれカメラ台座１６の角度α，商品台座２５の高さＨ，撮影フード１５の角度βに調整される（ステップＳ２７→Ｓ１４）。
【００９２】
この場合、商品台座２５に載せられた撮影対象商品Ｊに対するデジタルカメラ１２の撮影方向や焦点は、前記撮影条件テーブルメモリ４７ｂに予めプロカメラマンや熟練者による実際の撮影操作に応じて設定記憶された「箱菓子」の「前面」撮影用の各撮影条件値に従って自動調整された後、ユーザの好みで微調整され、図１２におけるモニタ表示処理を経て、横置きモニタウインドウＧ２ｈに対し、商品（箱菓子）Ｊの前面画像がユーザの好みで見栄え良く撮像された撮影調整後のモニタ画像が表示される（ステップＳＡ２［Ａ１，Ａ２→Ａ３，Ａ４］）。
【００９３】
そして、コマンドバーＧ１ｂに用意されている自動保存撮影ボタンＱ２又は撮影ボタンＱ１が操作されると、前記ステップＳ２０〜Ｓ２３の処理を経て、前記撮影ボックス１１及びデジタルカメラ１２の各制御系調整後の撮影画像が受信されて画像ウインドウＧ４に表示され、前記自動保存撮影ボタンＱ２による自動モードにある場合には、図１３における撮影画像保存処理に移行されて、前記画像ウインドウＧ４に撮影表示された任意の微調整後の撮影画像データが、前記撮影画像データメモリ４７ｄに対し、ファイル名称［ＥＵ８ＢＯ６７・箱菓子Ａ・０００１］、撮影条件値（Ｚ，Ｆ，Ｓ，α，…）、商品データ（品名，サイズ，重量，…）、縦／横フラグ“０”と共に記憶されて保存される（ステップＳ１８［Ｓ１９］→Ｓ２０〜ＳＢ）。
【００９４】
一方、前記撮影ボタンＱ１が操作された場合における画像ウインドウＧ４での前面撮影表示後に、自動保存ボタンＱ４が操作された場合には、撮影ボックス１１及びデジタルカメラ１２の各制御系が、撮影条件テーブル４７ｂ（図６参照）にて設定記憶されている各撮影条件値に従って自動調整（ステップＳ７〜Ｓ１４）された後、あるいは制御パラメータ調整ウインドウＧ５にて任意に設定された制御パラメータに従って前記各撮影条件値が微調整（ステップＳ１６→Ｓ２６，Ｓ２７→Ｓ１４）された後の、前記ステップＳＡ２においてモニタ表示状態にある商品Ｊの画像データが、そのまま撮影画像として取り込まれ、図１３における撮影画像保存処理を経て、前記同様に記憶装置４７内の撮影画像データメモリ４７ｄ（図８参照）に記憶されて保存される（ステップＳ２８→ＳＢ）。
【００９５】
この際、前記制御パラメータ調整ウインドウＧ５を利用した微調整によって設定された撮影ボックス１１及びデジタルカメラ１２の各制御系に対する撮影条件値は、撮影商品Ｊに応じた撮影条件名とその撮影方向に対応付けて新たな撮影条件データとして撮影条件テーブル４７ｂに追加して記憶され、当該撮影条件テーブル４７ｂのバージョンアップが図られる。
【００９６】
こうして、前記自動撮影制御ウインドウＧ３における撮影条件名「箱菓子」及び撮影方向「前面」の選択に応じて撮影条件テーブルメモリ４７ｂより読み込まれた各撮影条件値に従って、撮影ボックス１１及びデジタルカメラ１２の各制御系が自動調整されるか、あるいはさらに、制御パラメータ調整ウインドウＧ５における各制御パラメータの任意設定に応じて変更された各撮影条件値に従って、前記撮影ボックス１１及びデジタルカメラ１２の各制御系が微調整されることで、デジタルカメラ１２により見栄え良く撮像された商品（箱菓子）Ｊの前面画像が撮影されて撮影画像データメモリ４７ｄに記憶され保存され、図１８で示したように、サムネイル・ウインドウＧ１ａに追加表示された状態で、さらに、同商品Ｊの上面撮影や俯瞰撮影を行なうために、撮影ボックス１１に対し操作がなされると、前記ステップＳ９における自動撮影制御ウインドウＧ３上での撮影条件名のリスト表示状態に戻る（ステップＳ１５→Ｓ９）。
【００９７】
そして、前記自動撮影制御ウインドウＧ３において、撮影条件名「箱菓子」、撮影方向「上面」として選択された後、移動ボタンＱ１１が操作されると、当該自動撮影制御ウインドウＧ３上で選択入力された撮影条件名「箱菓子」及び撮影方向「上面」に対応させた、撮影ボックス１１及びデジタルカメラ１２の各制御系に対する各撮影条件値が、前記撮影条件テーブルメモリ４７ｂ（図６参照）から、ズームＺ２，フォーカスＦ２，絞りＳ２，カメラ台座角度α２，商品台座高さＨ２，撮影フード角度β２，撮影照度Ｌ２として読み込まれる（ステップＳ１０，Ｓ１１，Ｓ１２→Ｓ１３）。
【００９８】
すると、このそれぞれの撮影条件値Ｚ２，Ｆ２，Ｓ２，α２，Ｈ２，β２，Ｌ２に従って、パーソナルコンピュータ（ＰＣ）１３からデジタルカメラ１２及び撮影ボックス１１に対して制御信号が送信され、デジタルカメラ１２のズーム調整モータ５３，フォーカス調整モータ５４，絞り調整モータ５５が駆動されて、それぞれズームＺ２，フォーカスＦ２，絞りＳ２に調整され、撮影ボックス１１のカメラ台座駆動モータ１９ａ，商品台座駆動モータ２６，フード駆動モータ１７ａが駆動されて、それぞれカメラ台座１６の角度α２，商品台座２５の高さＨ２，撮影フード１５の角度β２，照明ユニット２１による撮影照度Ｌ２に調整される（ステップＳ１４）。
【００９９】
これにより、商品台座２５に載せられた撮影対象商品Ｊに対するデジタルカメラ１２の撮影方向や焦点は、前記撮影条件テーブルメモリ４７ｂに予めプロカメラマンや熟練者による実際の撮影操作に応じて設定記憶された「箱菓子」の「上面」撮影用の各撮影条件値に従って、例えば図３（Ｂ）で示すようにして自動調整され、図１２におけるモニタ表示処理を経て、前記横置きモニタウインドウＧ２ｈには商品（箱菓子）Ｊの上面画像が見栄え良く撮像された撮影調整後のモニタ画像が表示される（ステップＳＡ２）。
【０１００】
そして、コマンドバーＧ１ｂに用意されている自動保存撮影ボタンＱ２又は撮影ボタンＱ１が操作されると、デジタルカメラ１２により撮像されている商品Ｊの上面の画像データが受信されて画像ウインドウＧ４に表示され、前記自動保存撮影ボタンＱ２による自動モードにある場合には、図１３における撮影画像保存処理に移行されて、前記画像ウインドウＧ４に撮影表示された商品Ｊの上面の画像データが、撮影画像データメモリ４７ｄに対し、例えばファイル名称［ＥＵ８ＢＴＰ４・箱菓子Ａ・０００１］、撮影条件値（Ｚ２，Ｆ２，Ｓ２，α２，…）、商品データ（品名，サイズ，重量，…）、縦／横フラグ“０”と共に記憶されて保存される（ステップＳ１８［Ｓ１９］→Ｓ２０〜ＳＢ）。
【０１０１】
そして、図１９に示すように、当該商品Ｊの上面の撮影画像データが、既に撮影保存された前面の撮影画像データに続いて、撮影日、ファイル名、撮影解像度を付加して、サムネイル・ウインドウＧ１ａに対し追加されて表示される（ステップＳ２５）。
【０１０２】
図１９は前記撮影制御装置における商品撮影処理に伴ない表示されるサムネイル・ウインドウＧ１ａに対する上面撮影画像データの追加表示状態を示す図である。
【０１０３】
一方、前記撮影ボタンＱ１が操作された場合における画像ウインドウＧ４での上面撮影表示後に、自動保存ボタンＱ４が操作された場合でも、前記ステップＳＡ２においてモニタ表示状態にある商品Ｊの上面の画像データが、そのまま撮影画像として取り込まれ、図１３における撮影画像保存処理を経て、前記同様に記憶装置４７内の撮影画像データメモリ４７ｄ（図８参照）に記憶されて保存され、サムネイル・ウインドウＧ１ａに対し追加表示される（ステップＳ２８→ＳＢ，Ｓ２５）。
【０１０４】
この後さらに、同商品Ｊの俯瞰撮影を行なうために、撮影ボックス１１に対し操作がなされると、前記ステップＳ９における自動撮影制御ウインドウＧ３上での撮影条件名のリスト表示状態に戻る（ステップＳ１５→Ｓ９）。
【０１０５】
そして、前記自動撮影制御ウインドウＧ３において、撮影条件名「箱菓子」、撮影方向「俯瞰」として選択された後、移動ボタンＱ１１が操作されると、当該自動撮影制御ウインドウＧ３上で選択入力された撮影条件名「箱菓子」及び撮影方向「俯瞰」に対応させた、撮影ボックス１１及びデジタルカメラ１２の各制御系に対する各撮影条件値が、前記撮影条件テーブルメモリ４７ｂ（図６参照）から、ズームＺ３，フォーカスＦ３，絞りＳ３，カメラ台座角度α３，商品台座高さＨ３，撮影フード角度β３，撮影照度Ｌ３として読み込まれる（ステップＳ１０，Ｓ１１，Ｓ１２→Ｓ１３）。
【０１０６】
すると、このそれぞれの撮影条件値Ｚ３，Ｆ３，Ｓ３，α３，Ｈ３，β３，Ｌ３に従って、パーソナルコンピュータ（ＰＣ）１３からデジタルカメラ１２及び撮影ボックス１１に対して制御信号が送信され、デジタルカメラ１２のズーム調整モータ５３，フォーカス調整モータ５４，絞り調整モータ５５が駆動されて、それぞれズームＺ３，フォーカスＦ３，絞りＳ３に調整され、撮影ボックス１１のカメラ台座駆動モータ１９ａ，商品台座駆動モータ２６，フード駆動モータ１７ａが駆動されて、それぞれカメラ台座１６の角度α３，商品台座２５の高さＨ３，撮影フード１５の角度β３，照明ユニット２１による撮影照度Ｌ３に調整される（ステップＳ１４）。
【０１０７】
これにより、商品台座２５に載せられた撮影対象商品Ｊに対するデジタルカメラ１２の撮影方向や焦点は、前記撮影条件テーブルメモリ４７ｂに予めプロカメラマンや熟練者による実際の撮影操作に応じて設定記憶された「箱菓子」の「俯瞰」撮影用の各撮影条件値に従って、例えば図３（Ｃ）で示すようにして自動調整され、図１２におけるモニタ表示処理を経て、前記横置きモニタウインドウＧ２ｈには商品（箱菓子）Ｊの俯瞰画像が見栄え良く撮像された撮影調整後のモニタ画像が表示される（ステップＳＡ２）。
【０１０８】
そして、コマンドバーＧ１ｂに用意されている自動保存撮影ボタンＱ２又は撮影ボタンＱ１が操作されると、デジタルカメラ１２により撮像されている商品Ｊの俯瞰の画像データが受信されて画像ウインドウＧ４に表示され、前記自動保存撮影ボタンＱ２による自動モードにある場合には、図１３における撮影画像保存処理に移行されて、前記画像ウインドウＧ４に撮影表示された商品Ｊの俯瞰の画像データが、撮影画像データメモリ４７ｄに対し、例えばファイル名称［ＥＵ８ＢＷＯ５・箱菓子Ａ・０００１］、撮影条件値（Ｚ３，Ｆ３，Ｓ３，α３，…）、商品データ（品名，サイズ，重量，…）、縦／横フラグ“０”と共に記憶されて保存される（ステップＳ１８［Ｓ１９］→Ｓ２０〜ＳＢ）。
【０１０９】
そして、図２０に示すように、当該商品Ｊの俯瞰の撮影画像データが、既に撮影保存された前面，上面の撮影画像データに続いて、撮影日、ファイル名、撮影解像度を付加して、サムネイル・ウインドウＧ１ａに対し追加されて表示される（ステップＳ２５）。
【０１１０】
図２０は前記撮影制御装置における商品撮影処理に伴ない表示されるサムネイル・ウインドウＧ１ａに対する俯瞰撮影画像データの追加表示状態を示す図である。
【０１１１】
一方、前記撮影ボタンＱ１が操作された場合における画像ウインドウＧ４での俯瞰撮影表示後に、自動保存ボタンＱ４が操作された場合でも、前記ステップＳＡ２においてモニタ表示状態にある商品Ｊの俯瞰の画像データが、そのまま撮影画像として取り込まれ、図１３における撮影画像保存処理を経て、前記同様に記憶装置４７内の撮影画像データメモリ４７ｄ（図８参照）に記憶されて保存され、サムネイル・ウインドウＧ１ａに対し追加表示される（ステップＳ２８→ＳＢ，Ｓ２５）。
【０１１２】
なお、前記商品Ｊの指定された撮影面に対する画像の撮影後に、コマンドバーＧ１ｂに用意された詳細補正ボタンＱ１６（図２０参照）が操作された場合には、撮影ボックス１１及びデジタルカメラ１２における各制御系のパラメータ（撮影条件値）をマニュアルで補正するための詳細補正ウインドウが表示され、この詳細補正ウインドウにて各種の制御パラメータ（撮影条件値）を任意に調整することで、この撮影画像における撮影の位置や画質，色合い等が任意に詳細補正されて変更調整される。
【０１１３】
図２１は前記撮影制御装置における商品撮影処理に伴ない表示される横置きモニタウインドウＧ２ｈと制御パラメータ調整ウインドウＧ５の撮影調整前表示状態を示す図である。
【０１１４】
前記ステップＳＡ１におけるモニタ表示処理において、撮影ボックス１１及びデジタルカメラ１２の各制御系が未調整にあり、デジタルカメラ１２による商品台座２５の周辺のモニタ画像が、横置きモニタウインドウＧ２ｈに表示されている状態で、マニュアル制御による撮影モードを設定するために、コマンドバーＧ１ｂに表示されている手動ボタンＱ１０が操作されると、図２１に示すように、前記横置きモニタウインドウＧ２ｈに並べて制御パラメータ調整ウインドウＧ５が表示される（ステップＳ６→Ｓ２６）。
【０１１５】
この制御パラメータ調整ウインドウＧ５にあって、例えばその制御パラメータ入力エリアＧ５ｄにて、商品台座２５に載せられている商品Ｊの正面のモニタ画像が見栄え良く見えるように、デジタルカメラ１２に対するズームＺ，フォーカスＦ，絞り（アイリス）Ｓ及び撮影ボックス１１に対する商品台座高さ（テーブル）Ｈ，撮影フード角度（フード）β，カメラ台座角度（ホルダー）αの各制御パラメータがマニュアル入力されると、このそれぞれの制御パラメータ（撮影条件値）Ｚ，Ｆ，Ｓ，α，Ｈ，β，Ｌに従って、パーソナルコンピュータ（ＰＣ）１３からデジタルカメラ１２及び撮影ボックス１１に対して制御信号が送信され、デジタルカメラ１２のズーム調整モータ５３，フォーカス調整モータ５４，絞り調整モータ５５が駆動されて、それぞれズームＺ，フォーカスＦ，絞りＳに調整され、撮影ボックス１１のカメラ台座駆動モータ１９ａ，商品台座駆動モータ２６，フード駆動モータ１７ａが駆動されて、それぞれカメラ台座１６の角度α，商品台座２５の高さＨ，撮影フード１５の角度βに調整される（ステップＳ２７→Ｓ１４）。
【０１１６】
この場合、商品台座２５に載せられた撮影対象商品Ｊに対するデジタルカメラ１２の撮影方向や焦点は、ユーザの好みで手動調整され、図１２におけるモニタ表示処理を経て、横置きモニタウインドウＧ２ｈに対し、商品（箱菓子）Ｊの前面画像がユーザの好みで見栄え良く撮像された撮影調整後のモニタ画像が表示される（ステップＳＡ２［Ａ１，Ａ２→Ａ３，Ａ４］）。
【０１１７】
図２２は前記撮影制御装置における商品撮影処理に伴ない表示される横置きモニタウインドウＧ２ｈ及び画像ウインドウＧ４と制御パラメータ調整ウインドウＧ５の同時表示状態を示す図である。
【０１１８】
そして、図２２に示すように、コマンドバーＧ１ｂに用意されている自動保存撮影ボタンＱ２又は撮影ボタンＱ１が操作されると、前記ステップＳ２０〜Ｓ２３の処理を経て、前記撮影ボックス１１及びデジタルカメラ１２の各制御系に対するマニュアル調整後の撮影画像が受信されて画像ウインドウＧ４に表示され、前記自動保存撮影ボタンＱ２による自動モードにある場合には、図１３における撮影画像保存処理に移行されて、前記画像ウインドウＧ４に撮影表示されたマニュアル調整後の撮影画像データが、前記撮影画像データメモリ４７ｄに対し、ファイル名称［ＥＵ８ＢＯ６７・箱菓子Ａ・０００１］、撮影条件値（Ｚ，Ｆ，Ｓ，α，…）、商品データ（品名，サイズ，重量，…）、縦／横フラグ“０”と共に記憶されて保存される（ステップＳ１８［Ｓ１９］→Ｓ２０〜ＳＢ）。
【０１１９】
一方、前記撮影ボタンＱ１が操作された場合における画像ウインドウＧ４での前面撮影表示後に、自動保存ボタンＱ４が操作された場合には、撮影ボックス１１及びデジタルカメラ１２の各制御系が、前記制御パラメータ調整ウインドウＧ５にてマニュアル設定された制御パラメータに従ってマニュアル調整（ステップＳ６→Ｓ２６，Ｓ２７→Ｓ１４）された後の、前記ステップＳＡ２においてモニタ表示状態にある商品Ｊの画像データが、そのまま撮影画像として取り込まれ、図１３における撮影画像保存処理を経て、前記同様に記憶装置４７内の撮影画像データメモリ４７ｄ（図８参照）に記憶されて保存される（ステップＳ２８→ＳＢ）。
【０１２０】
この際、前記制御パラメータ調整ウインドウＧ５においてマニュアル調整によって設定された撮影ボックス１１及びデジタルカメラ１２の各制御系に対する撮影条件値は、撮影商品Ｊに応じた撮影条件名とその撮影方向に対応付けて新たな撮影条件データとして撮影条件テーブル４７ｂに追加して記憶され、当該撮影条件テーブル４７ｂのバージョンアップが図られる。
【０１２１】
なお、前記図２１や図２２で示す制御パラメータ調整ウインドウＧ５にあって、簡略ボタンＱ１４の操作に応じて機能する大ボタンＱ１４ａ，中ボタンＱ１４ｂ，小ボタンＱ１４ｃの何れかのボタンが、撮影対象商品Ｊの大きさに応じて操作された場合には、制御パラメータ入力エリアＧ５ｄにおける各制御パラメータは、記憶装置４７のＲＡＭ内に予め記憶されている概略位置合わせテーブル４７ｃに従って設定され、商品Ｊに対する撮影の方向や焦点は、概略的に調整されて設定されるので、前記ステップＳ２７における各制御パラメータのマニュアル調整は簡略化される。
【０１２２】
一方、コマンドバーＧ１ｂに沿って表示されている編集ボタンとして機能する「画像（Ｉ）」Ｑ１５が操作されると、編集処理に移行される（ステップＳ１７→ＳＣ）。
【０１２３】
この編集処理では、サムネイル・ウインドウＧ１ａに表示されている保存済みの撮影画像データを読み出してウインドウ表示させた後、「切抜き」「背景除去」「回転」「反転」「画像補正」等からなるメニューを表示させ選択して任意の編集作業が行なえるもので、この編集処理後の画像データは、例えば自動保存ボタンＱ４を操作することにより、図１３における撮影画像保存処理を経て、記憶装置４７内の撮影画像データメモリ４７ｄに更新記憶されて保存され、サムネイル・ウインドウＧ１ａにも更新表示される（ステップＳ２８→ＳＢ，Ｓ２５）。
【０１２４】
そして、前記自動撮影制御ウインドウＧ３や制御パラメータ調整ウインドウＧ５内に設けられている終了ボタンＱ１３が操作されると、表示装置４４の表示画面から撮影モジュールウインドウＧ１自体が消去され、前記一連の商品撮影処理が終了される（ステップＳ２９→Ｓ３０）。
【０１２５】
したがって、前記構成の撮影制御装置によれば、自動撮影制御ウインドウＧ３において、撮影対象となる商品Ｊに応じた撮影条件名及び撮影方向を選択して入力すると、記憶装置４７に予めプロカメラマンや熟練者による実際の撮影操作に応じて設定記憶された撮影条件テーブル４７ｂに従って、前記入力された撮影条件名及び撮影方向に対応する撮影ボックス１１及びデジタルカメラ１２の各制御系に対する撮影条件値が読み込まれ、カメラ台座１６の角度α、商品台座２５の高さＨ、撮影フード１５の角度β、照明ユニット２１による撮影照度Ｌ、デジタルカメラ１２のズームＺ，フォーカスＦ，絞りＳがそれぞれ自動調整されて設定され、見栄え良く撮影モニタ表示された後、この撮影画像データに対し、撮影日付に基づき生成されたファイル名称、品名，サイズ等の商品データ、縦撮影か又は横撮影かを示すフラグが対応付けされて記憶装置４７内の撮影画像データメモリ４７ｄに記憶されて保存されるので、例えばディスカウントストアやスーパーマーケット等の大型店において、商品管理データの作成作業をパートタイマー等の熟練者以外の人員により行なう場合でも、個々の商品の画像を非常に簡単にプロカメラマンや熟練者なみに上手に撮影し、商品情報と対応付けして記憶させ管理できるようになる。
【０１２６】
なお、前記実施形態において、撮影ボックス１１やデジタルカメラ１２の各制御系に対する撮影条件値をマニュアル調整するための制御パラメータ調整ウインドウＧ５では、個々のパラメータ（撮影条件値）を具体的な数値で入力して設定する構成としたが、例えば図２３に示すように、デジタルカメラ１２に対するズームＺ，フォーカスＦ，絞りＳの設定を、モニタ表示されている商品画像を見ながらスライダにより調整したり、撮影ボックス１１に対するカメラ台座角度α，撮影フード角度β，商品台座高さＨの設定を、モデル図を表示させて各該当部分をグラブポイントで直接指示して調整するようにした制御パラメータのモニタ式調整ウインドウＧ６を、前記の調整ウインドウＧ５に換えて表示させ、各撮影条件値のマニュアル調整をよりリアルにまた容易に行なう構成としてもよい。
【０１２７】
図２３は前記撮影制御装置における商品撮影処理に伴ない表示される制御パラメータのモニタ式調整ウインドウＧ６を示す図である。
【０１２８】
さらに、図２４に示すように、撮影ボックス１１及びデジタルカメラ１２における各制御系の実機状態をグラフィカルに表示すると共に、そのそれぞれのパラメータ（撮影条件値）を全てスライダにより調整するようにした制御パラメータのスライダ式調整ウインドウＧ７を、前記の調整ウインドウＧ５あるいはＧ６に換えて表示させ、各撮影条件値のマニュアル調整をよりリアルに、またより容易に行なう構成としてもよい。
【０１２９】
図２４は前記撮影制御装置における商品撮影処理に伴ない表示される制御パラメータのスライダ式調整ウインドウＧ７を示す図である。
【０１３０】
なお、前記実施形態において記載した手法、すなわち図１０，図１１のフローチャートに示す商品撮影処理、図１２のフローチャートに示すモニタ表示処理、図１３のフローチャートに示す撮影画像保存処理等の各手法は、コンピュータに実行させることができるプログラムとして、メモリカード（ＲＯＭカード、ＲＡＭカード等）、磁気ディスク（フロッピーディスク、ハードディスク等）、光ディスク（ＣＤ−ＲＯＭ、ＤＶＤ等）、半導体メモリ等の外部記録媒体（記憶媒体）４８に格納して配布することができる。そして、コンピュータである制御部（ＣＰＵ）４６は、この外部記録媒体（記憶媒体）４８に記録されたプログラムを各媒体に応じたデータ読み出し装置によって記憶装置４７に読み込み、この読み込んだプログラムによって動作が制御されることにより、前記実施形態において説明した商品撮影機能を実現し、前述した手法による同様の処理を実行することができる。
【０１３１】
また、照明ユニットは撮影ボックスの外に配置して該ボックス内を照明するようにしてもよい。
【０１３２】
【発明の効果】
以上説明したように、請求項１記載の発明によれば、被写体に対する分類の指定に基づいて、前記撮影用カメラが当該被写体を捉える位置となるように前記撮影用カメラ及び前記被写体を移動して、前記指定された分類の前記被写体を前記撮影用カメラにて撮影することができて、これにより、迅速に良好な撮影が容易にできると共に、被写体の正面の撮影だけでなく、被写体の斜め上方からの撮影などができる。
【０１３３】
また、請求項２記載の発明によれば、被写体に対する分類の指定に基づいて、前記撮影用カメラが当該被写体を捉える位置になるように前記撮影用カメラ及び前記撮影フードを移動して、前記指定された分類の前記被写体を前記撮影用カメラにて撮影することができて、これにより、迅速に良好な撮影が容易にできると共に、被写体の正面の撮影だけでなく、被写体の斜め上方からの撮影などができる。
【図面の簡単な説明】
【図１】本発明の実施形態に係わる撮影制御装置の全体の構成を示す図。
【図２】前記撮影制御装置の撮影ボックスにおける各可動機構を示す図であり、同図（Ａ）は撮影ボックスを縦の断面にして示す図、同図（Ｂ）はカメラ台座を背面から見て示す図。
【図３】前記撮影制御装置の撮影ボックスにおける異なる商品Ｊの各撮影状態を比較して示す側断面図であり、同図（Ａ）は小型商品Ｊ1 の前面撮影状態を示す図、同図（Ｂ）は商品Ｊ2 の上面撮影状態を示す図、同図（Ｃ）は大型商品Ｊ3 の俯瞰撮影状態を示す図。
【図４】前記撮影制御装置のパーソナルコンピュータ（ＰＣ）を中心とする電子回路の構成を示すブロック図。
【図５】前記パーソナルコンピュータ（ＰＣ）の記憶装置におけるＲＯＭ及びＲＡＭに備えられるデータメモリを示す図。
【図６】前記パーソナルコンピュータ（ＰＣ）の記憶装置内のＲＡＭに備えられる撮影条件テーブルメモリのデータ内容を示す図。
【図７】前記パーソナルコンピュータ（ＰＣ）の記憶装置内のＲＡＭに備えられる概略位置合わせテーブルメモリのデータ内容を示す図。
【図８】前記パーソナルコンピュータ（ＰＣ）の記憶装置内のＲＡＭに備えられる撮影画像データメモリのデータ内容を示す図。
【図９】前記パーソナルコンピュータ（ＰＣ）の記憶装置内のＲＡＭに備えられるサムネイル画像データメモリのデータ内容を示す図。
【図１０】前記撮影制御装置における商品撮影処理（その１）を示すフローチャート。
【図１１】前記撮影制御装置における商品撮影処理（その２）を示すフローチャート。
【図１２】前記撮影制御装置における商品撮影処理に伴なうモニタ表示処理を示すフローチャート。
【図１３】前記撮影制御装置における商品撮影処理に伴なう撮影画像保存処理を示すフローチャート。
【図１４】前記撮影制御装置における商品撮影処理に伴ない初期表示される撮影モジュールウインドウＧ１の表示状態を示す図。
【図１５】前記撮影制御装置における商品撮影処理に伴ない表示される横置きモニタウインドウＧ２ｈと自動撮影制御ウインドウＧ３の撮影調整前表示状態を示す図。
【図１６】前記撮影制御装置における商品撮影処理に伴ない表示される横置きモニタウインドウＧ２ｈと自動撮影制御ウインドウＧ３の撮影調整後表示状態を示す図。
【図１７】前記撮影制御装置における商品撮影処理に伴ない表示される横置きモニタウインドウＧ２ｈ及び画像ウインドウＧ４と自動撮影制御ウインドウＧ３の同時表示状態を示す図。
【図１８】前記撮影制御装置における商品撮影処理に伴ない表示されるサムネイル・ウインドウＧ１ａに対する前面撮影画像データの追加表示状態を示す図。
【図１９】前記撮影制御装置における商品撮影処理に伴ない表示されるサムネイル・ウインドウＧ１ａに対する上面撮影画像データの追加表示状態を示す図。
【図２０】前記撮影制御装置における商品撮影処理に伴ない表示されるサムネイル・ウインドウＧ１ａに対する俯瞰撮影画像データの追加表示状態を示す図。
【図２１】前記撮影制御装置における商品撮影処理に伴ない表示される横置きモニタウインドウＧ２ｈと制御パラメータ調整ウインドウＧ５の撮影調整前表示状態を示す図。
【図２２】前記撮影制御装置における商品撮影処理に伴ない表示される横置きモニタウインドウＧ２ｈ及び画像ウインドウＧ４と制御パラメータ調整ウインドウＧ５の同時表示状態を示す図。
【図２３】前記撮影制御装置における商品撮影処理に伴ない表示される制御パラメータのモニタ式調整ウインドウＧ６を示す図。
【図２４】前記撮影制御装置における商品撮影処理に伴ない表示される制御パラメータのスライダ式調整ウインドウＧ７を示す図。
【符号の説明】
１１  …撮影ボックス、
１１Ｓ…停止スイッチ、
１２  …デジタルカメラ、
１３  …パーソナルコンピュータ（ＰＣ）、
１４  …ボックス本体、
１５  …撮影フード、
１６  …カメラ台座、
１７  …フード駆動機構、
１７ａ…フード駆動モータ、
１８  …フード軸、
１９  …カメラ台座駆動機構、
１９ａ…カメラ台座駆動モータ、
２０  …台座軸、
２１  …照明ユニット、
２２ａ，２２ｂ…照明電球、
２３  …反射ユニット、
２４  …反射鏡、
２５  …商品台座、
２５ａ…ステージ、
２６  …商品台座駆動モータ、
２７  …背面フレーム、
２８  …背景紙、
２９ａ，２９ｂ、３０…背景紙クリップ、
３１  …操作扉、
３２  …調整ねじ、
３３  …配置台、
３４  …軸受け台、
３４ａ…カメラ向き検出スイッチ
３５ａ，３５ｂ…カメラ支持軸、
３６  …ＰＣ本体装置、
３７  …撮影側データ・制御バス、
３８  …カメラ側データ・制御バス、
３９  …インターフェイスユニット、
４０  …撮影側インターフェイス回路（ＩＦ）、
４１  …カメラ側インターフェイス回路（ＩＦ）、
４２  …入力装置、
４３  …ハンドスキャナ、
４４  …表示装置、
４５  …印刷装置、
４６  …ＰＣ制御部（ＣＰＵ）、
４７  …記憶装置、
４７ａ…プログラムメモリ、
４７ｂ…撮影条件テーブルメモリ、
４７ｃ…概略位置合わせテーブルメモリ、
４７ｄ…撮影画像データメモリ、
４７ｅ…サムネイル画像データメモリ、
４８  …外部記録媒体（記憶媒体）、
４９  …通信回線、
５０  …ＲＡＭ、
５１  …カメラ制御部、
５２  …画像メモリ、
５３  …ズーム調整モータ、
５４  …フォーカス調整モータ、
５５  …絞り調整モータ、
Ｊ  …撮影対象商品、
ｘ，ｙ，ｚ…焦点経路、
Ｇ１  …撮影モジュールウインドウ、
Ｇ１ａ…サムネイル・ウインドウ、
Ｇ１ｂ…コマンドバー、
Ｇ１ｃ…補助名称入力エリア、
Ｇ２ｈ…横置きモニタウインドウ、
Ｇ３  …自動撮影制御ウインドウ、
Ｇ３ａ…撮影条件名入力エリア、
Ｇ３ｂ…商品サイズ入力エリア、
Ｇ３ｃ…撮影方向の入力エリア、
Ｇ４  …画像ウインドウ、
Ｇ５  …制御パラメータ調整ウインドウ、
Ｇ５ａ…撮影条件名入力エリア、
Ｇ５ｂ…商品サイズ入力エリア、
Ｇ５ｃ…撮影方向入力エリア、
Ｇ５ｄ…制御パラメータ入力エリア、
Ｇ５ｅ…現在制御位置表示エリア、
Ｇ５ｆ…目標制御位置の表示エリア、
Ｇ５ｇ…値入力エリア、
Ｇ６  …モニタ式調整ウインドウ、
Ｇ７  …スライダ式調整ウインドウ、
Ｑ１  …撮影ボタン、
Ｑ２  …自動保存撮影ボタン、
Ｑ３  …モニタモードボタン、
Ｑ４  …自動保存ボタン、
Ｑ５  …縮小ボタン、
Ｑ６  …拡大ボタン、
Ｑ７  …切抜きボタン、
Ｑ８  …詳細調整ボタン、
Ｑ９  …自動ボタン、
Ｑ１０…手動ボタン、
Ｑ１１…移動ボタン、
Ｑ１２…詳細ボタン、
Ｑ１３…終了ボタン、
Ｑ１４…簡略ボタン、
Ｑ１４ａ…大ボタン、
Ｑ１４ｂ…中ボタン、
Ｑ１４ｃ…小ボタン、
Ｑ１５…編集ボタン、
Ｑ１６…詳細補正ボタン。
【図１】
0003680564.tif 000002
【図２】
0003680564.tif 000003
【図３】
0003680564.tif 000004
【図４】
0003680564.tif 000005
【図５】
0003680564.tif 000006
【図６】
0003680564.tif 000007
【図７】
0003680564.tif 000008
【図８】
0003680564.tif 000009
【図９】
0003680564.tif 000010
【図１０】
0003680564.tif 000011
【図１１】
0003680564.tif 000012
【図１２】
0003680564.tif 000013
【図１３】
0003680564.tif 000014
【図１４】
0003680564.tif 000015
【図１５】
0003680564.tif 000016
【図１６】
0003680564.tif 000017
【図１７】
0003680564.tif 000018
【図１８】
0003680564.tif 000019
【図１９】
0003680564.tif 000020
【図２０】
0003680564.tif 000021
【図２１】
0003680564.tif 000022
【図２２】
0003680564.tif 000023
【図２３】
0003680564.tif 000024
【図２４】
0003680564.tif 000025